(57)【要約】      （修正有）【課題】緩衝作用の選択機構を有するヒンジのダンピングデバイスを提供する。【解決手段】ヒンジカップ１０、ヒンジアーム１２、バネ１４、ダンパー１８、保持台１６、調整部品２０を備え、ダンパーはヒンジカップに設置され、ピストン棒７６を備え、保持台はヒンジカップに設置され、通道を備え、調整部品は保持台に可動状に設置され、突出部９２を備え、ダンパーのピストン棒に対応し、調整部品を第一位置まで移動させる時、ヒンジアームがヒンジカップに相対して閉鎖され、ダンパーはヒンジアームに押されて移動し、これにより、ダンパーのピストン棒は調整部品の突出部に接触し、内縮して緩衝作用を生じる。調整部品を第二位置まで移動させる時、調整部品の突出部はダンパーのピストン棒の対応位置から離れ、ダンパーのピストン棒は調整部品の突出部に接触し、緩衝作用を生じることはできない。【選択図】図１
0003181984.tif 000002
【実用新案登録請求の範囲】
【請求項１】
ヒンジのダンピングデバイスにおいて、
ヒンジは、ヒンジカップ、ヒンジアーム、少なくとも１個のバネを備え、前記ヒンジカップは、収容室を備え、前記ヒンジアームは、前記ヒンジカップに可動状に接続し、前記バネは、前記ヒンジカップの収容室内に設置され、しかも前記ヒンジカップが前記ヒンジアームに相対し回転し閉鎖される時には、閉鎖の弾力を提供することができ、
ダンピングデバイスは、保持台、ダンパー、調整部品を備え、前記保持台は、前記ヒンジカップの収容室内に固定した状態で設置され、前記保持台は、通道を備え、通道の内にダンパーを設置でき、前記ダンパーは、前記保持台の通道内に設置し、前記ヒンジアームに対応し、しかも前記ダンパーは、ピストン棒を備え、前記調整部品は、前記保持台に可動状に設置され、しかも前記調整部品は、突出部を備え、前記突出部は、前記保持台に向かい伸び、前記ダンパーのピストン棒に対応し、前記調整部品を、前記保持台に相対して第一位置まで移動させる時、前記調整部品の突出部は、前記ダンパーのピストン棒に正確に対応し、
前記ヒンジカップが、前記ヒンジアームに相対して閉鎖される時、前記ダンパーは、前記ヒンジアームに押されて移動し、これにより、前記ダンパーのピストン棒は、前記調整部品の突出部に接触し、内縮して緩衝作用を生じ、前記調整部品を、前記保持台に相対して第二位置まで移動させる時、前記調整部品の突出部は、前記ダンパーのピストン棒の対応位置から離れ、前記ヒンジカップが、前記ヒンジアームに相対して閉鎖される時、前記ダンパーのピストン棒は、前記調整部品の突出部に接触して緩衝作用を生じることはできないことを特徴とするヒンジのダンピングデバイス。
【請求項２】
前記調整部品は、係合ロック凸体を備え、前記保持台は、上部を備え、前記上部の周縁には、第一接触部及び第二接触部を備え、前記調整部品が前記保持台に相対し第一位置まで移動する時には、前記調整部品の係合ロック凸体は、前記保持台の第一接触部に接触し、前記調整部品が前記保持台に相対し第二位置まで移動する時には、前記調整部品の係合ロック凸体は、前記保持台の第二接触部に接触することを特徴とする、請求項１に記載のヒンジのダンピングデバイス。
【請求項３】
前記保持台の第一接触部は、固定された接触面で、前記第二接触部は、弾力係合ほぞの形態であることを特徴とする、請求項２に記載のヒンジのダンピングデバイス。
【請求項４】
前記ヒンジのダンピングデバイスはさらに、前記保持台と前記調整部品の間に連接する弾性部品を備え、これにより、前記調整部品は、前記弾性部品の弾力に対応し、自動的に第一位置を保持できることを特徴とする、請求項３に記載のヒンジのダンピングデバイス。
【請求項５】
前記保持台には、第一フック部を設置し、前記調整部品には、第二フック部を設置し、前記弾性部品は、前記第一フック部と前記第二フック部の間に引っ掛かることを特徴とする、請求項４に記載のヒンジのダンピングデバイス。
【請求項６】
前記保持台の第一接触部と第二接触部は共に、弾力係合ほぞの形態であることを特徴とする、請求項２に記載のヒンジのダンピングデバイス。
【請求項７】
前記保持台は、下部を備え、前記下部の周縁には、弧状の輪郭を呈するリップセグメントを備え、前記保持台は、前記上部と前記下部の間に延伸して連接する本体部を備え、前記調整部品は、上サポートフレーム、下サポートフレーム、及び前記上サポートフレームと前記下サポートフレームの間に延伸して連接する側板を備え、前記調整部品は、前記上サポートフレームにより、前記保持台の上部に接触し、しかも前記調整部品の下サポートフレームは、前記保持台の下部のリップセグメントに接触することを特徴とする、請求項２に記載のヒンジのダンピングデバイス。
【請求項８】
前記調整部品の上サポートフレームはさらに、操作部を備えることを特徴とする、請求項７に記載のヒンジのダンピングデバイス。
【請求項９】
前記保持台の上部は、第一マーク及び第二マークを備え、しかも前記調整部品の上サポートフレームには、尖端部を備え、前記調整部品が前記保持台に相対し第一位置まで移動する時には、前記尖端部は、前記第一マークに対応し、前記調整部品が前記保持台に相対し第二位置まで移動する時には、前記尖端部は、前記第二マークに対応することを特徴とする、請求項７に記載のヒンジのダンピングデバイス。
【請求項１０】
前記第一マークは、ONの文字表示で、前記第二マークは、OFFの文字表示であることを特徴とする、請求項９に記載のヒンジのダンピングデバイス。
【請求項１１】
前記保持台の通道の内壁には、リニアガイドセグメントを備え、前記ダンパーは、停止部を備え、前記通道内のガイドセグメントの一端に対応し、接触して停止することを特徴とする、請求項１に記載のヒンジのダンピングデバイス。
【請求項１２】
前記ヒンジカップの収容室は、一対の相互に対応する定位孔を備え、前記保持台の両側には、それぞれ係合体を備え、各前記係合体は、前記定位孔に対応して係合し、これにより、前記保持台は、前記ヒンジカップの収容室内に固定されることを特徴とする、請求項１に記載のヒンジのダンピングデバイス。
【請求項１３】
前記ヒンジカップの収容室は、一対の側壁、底壁、前端壁、後端壁により共同で定義され、前記前端壁は、延伸して、前記一対の側壁の前端に連接し、前記後端壁は、延伸して、前記一対の側壁の後端に連接し、しかも、前記ヒンジカップの一対の側壁は、前記前端壁に隣接し、一対の相互に対応する軸孔を備え、前記ヒンジアームは、一対のカム部、及び前記一対のカム部の間に連接するスリーブ部を備え、前記ヒンジアームはさらに、軸パーツにより、前記側壁の軸孔と前記ヒンジアームのスリーブ部を通過し、これにより前記ヒンジアームは、前記ヒンジカップに相対して可動状に接続されることを特徴とする、請求項１に記載のヒンジのダンピングデバイス。
【請求項１４】
前記バネは、一対で、前記一対のバネは、トルクバネの形式で、前記各バネは、第一棒、第二棒、及び前記第一棒と前記第二棒の間に延伸して連接するワインディング部を備え、前記ヒンジカップの一対の側壁は、一対の相互に対応するピン孔を備え、前記底壁は、一対の耳部を備え、前記各耳部は、前記各側壁のピン孔に対応する穿孔を備え、前記バネを、前記ヒンジカップの側壁と耳部の間に設置し、ピン部品を、前記側壁のピン孔、前記バネのワインディング部、前記耳部の穿孔に通し、これにより前記バネと前記ヒンジカップとは相互に連接することを特徴とする、請求項１に記載のヒンジのダンピングデバイス。
【請求項１５】
前記ヒンジカップの一対の側壁はさらに、一対の挿入孔を備え、前記一対のバネの第二棒は、前記挿入孔に挿入されることを特徴とする、請求項１４に記載のヒンジのダンピングデバイス。
【考案の詳細な説明】
【技術分野】
【０００１】
本考案はヒンジのダンピングデバイスに関し、特にヒンジに用いられると共に、緩衝機能を切り換えることができるダンピングデバイスに関する。
【背景技術】
【０００２】
特許文献１に示す「DAMPING  DEVICE  FOR  FURNITURE  PARTS」は、家具の部品に用いるダンピングデバイスである。特許文献１の図4a、4bに示すダンピングデバイス（damping  device  9）は、ハウジング（housing  12）、スライダー（slider  13）、ロッキングデバイス（locking  device  15）を備える。スライダー（slider  13）は、突出したロッキングメンバー（locking  member  19）を備える。
【０００３】
特許文献１の図5aに示すように、スライダー（slider  13）内部のピストン（piston  22）と流体チャンバー（fluid  chamber  21）の間には、可動空間を備える。そのため、スライダーの傾斜接触面（inclined  abutment  surface  16）が接触されると、スライダー（slider  13）は、ピストン（piston  22）に相対して移動し、こうして緩衝作用を発揮する。
【０００４】
特許文献１の図5cに示すように、ロッキングデバイス（locking  device  15）は、ロッキング部品（locking  element  15a）により、スライダー（slider  13）のロッキングメンバー（locking  member  19）において係合され、スライダー（slider  13）は、ピストン（piston  22）に相対し、移動後に定位される。よって、特許文献１の図6bに示すように、ダンピングデバイス（damping  device  9）のスライダー（slider  13）は、自動的に伸び出すことはなく、ヒンジアーム（7）はスライダー（slider  13）に接触することができないため、緩衝作用を発揮することができない。
【０００５】
この種の緩衝作用スイッチの手段では、スライダー（slider  13）の流体チャンバー（fluid  chamber  21）を、強制的に、ピストン（piston  22）端まで押して移動させる。さらに、ロッキングデバイス（locking  device  15）のロッキング部品（locking  element  15a）とスライダー（slider  13）のロッキングメンバー（locking  member  19）を相互に係合させ、スライダー（slider  13）を定位する。しかし、スライダー（slider  13）を強制的に押す動作は必須のものであり、すなわち余分な操作手続が必要だということである。
本考案は、従来のヒンジのダンピングデバイスの上記した欠点に鑑みてなされたものである。
【先行技術文献】
【特許文献】
【０００６】
【特許文献１】WO/2012/024702 A1号
【考案の概要】
【考案が解決しようとする課題】
【０００７】
本考案が解決しようとする課題は、使用者が緩衝作用のオン或いはオフを選択できるメカニズムを備えるヒンジのダンピングデバイスを提供することである。
【課題を解決するための手段】
【０００８】
上記課題を解決するために、本考案は下記のヒンジのダンピングデバイスを提供する。
ヒンジのダンピングデバイスにおいて、ヒンジは、ヒンジカップ、ヒンジアーム、少なくとも１個のバネを備え、
該ヒンジカップは、収容室を備え、
該ヒンジアームは、該ヒンジカップに可動状に接続し、
該バネは、該ヒンジカップの収容室内に設置し、しかも該ヒンジカップが該ヒンジアームに相対し回転し閉鎖される時には、閉鎖の弾力を提供することができ、
ダンピングデバイスは、保持台、ダンパー、調整部品を備え、
該保持台は、該ヒンジカップの収容室内に固定状に設置され、該保持台は、通道を備え、
ダンパーは、該保持台の通道内に設置し、該ヒンジアームに対応し、しかも該ダンパーは、ピストン棒を備え、
該調整部品は、該保持台に可動状に設置され、しかも該調整部品は、突出部を備え、該突出部は、該保持台に向かい伸び、該ダンパーのピストン棒に対応し、
該調整部品を、該保持台に相対して第一位置まで移動させる時、該調整部品の突出部は、該ダンパーのピストン棒に正確に対応し、該ヒンジカップが、該ヒンジアームに相対して閉鎖される時、該ダンパーは、該ヒンジアームに押されて移動し、これにより該ダンパーのピストン棒は、該調整部品の突出部に接触し、内縮して緩衝作用を生じ、
該調整部品を、該保持台に相対して第二位置まで移動させる時、該調整部品の突出部は、該ダンパーのピストン棒の対応位置から離れ、該ヒンジカップが、該ヒンジアームに相対して閉鎖される時、該ダンパーのピストン棒は、該調整部品の突出部に接触して緩衝作用を生じることはできず、
好ましくは、該調整部品は、係合ロック凸体を備え、該保持台は、上部を備え、該上部の周縁には、第一接触部及び第二接触部を備え、
該調整部品が該保持台に相対し第一位置まで移動する時には、該調整部品の係合ロック凸体は、該保持台の第一接触部に接触し、
該調整部品が該保持台に相対し第二位置まで移動する時には、該調整部品の係合ロック凸体は、該保持台の第二接触部に接触し、
好ましくは、該保持台の第一接触部は、固定された接触面で、該第二接触部は、弾力係合ほぞの型態で、
好ましくは、さらに該保持台と該調整部品の間に連接する弾性部品を備え、これにより該調整部品は、該弾性部品の弾力に対応し、自動的に第一位置を保持することができ、
好ましくは、該保持台には、第一フック部を設置し、及び該調整部品には、第二フック部を設置し、該弾性部品は、該第一フック部と該第二フック部の間に引っ掛かり、
好ましくは、該保持台の第一接触部と第二接触部は共に、弾力係合ほぞの型態で、
好ましくは、該保持台は、下部を備え、該下部の周縁には、弧状の輪郭を呈するリップセグメントを備え、該保持台は、該上部と該下部の間に延伸して連接する本体部を備え、該調整部品は、上サポートフレーム、下サポートフレーム、及び該上サポートフレームと該下サポートフレームの間に延伸して連接する側板を備え、
該調整部品は、該上サポートフレームにより、該保持台の上部に接触し、しかも該調整部品の下サポートフレームは、該保持台の下部のリップセグメントに接触し、
好ましくは、該調整部品の上サポートフレームはさらに、操作部を備え、
好ましくは、該保持台の上部は、第一マーク及び第二マークを備え、しかも該調整部品の上サポートフレームには、尖端部を備え、
該調整部品が該保持台に相対し第一位置まで移動する時には、該尖端部は、該第一マークに対応し、
該調整部品が該保持台に相対し第二位置まで移動する時には、該尖端部は、該第二マークに対応し、
好ましくは、該第一マークは、ONの文字表示で、該第二マークは、OFFの文字表示で、
好ましくは、該保持台の通道の内壁には、リニアガイドセグメントを備え、該ダンパーは、停止部を備え、該通道内のガイドセグメントの一端に対応し、接触して停止し、
好ましくは、該ヒンジカップの収容室は、一対の相互に対応する定位孔を備え、該保持台の両側には、それぞれ係合体を備え、該各係合体は、該定位孔に対応して係合し、これにより、該保持台は、該ヒンジカップの収容室内に固定され、
好ましくは、該ヒンジカップの収容室は、一対の側壁、底壁、前端壁、後端壁により共同で定義され、該前端壁は、延伸して、一対の側壁の前端に連接し、該後端壁は、延伸して、一対の側壁の後端に連接し、しかも該ヒンジカップの一対の側壁は、該前端壁に隣接し、一対の相互に対応する軸孔を備え、及び該ヒンジアームは、一対のカム部、及び該一対のカム部の間に連接するスリーブ部を備え、
該ヒンジアームはさらに、軸パーツにより、該側壁の軸孔と該ヒンジアームのスリーブ部を通過し、これにより該ヒンジアームは該ヒンジカップに相対して可動状に接続され、
好ましくは、バネは一対で、該一対のバネは、トルクバネの形式で、該各バネは、第一棒、第二棒、及び該第一棒と該第二棒の間に延伸して連接するワインディング部を備え、
該ヒンジカップの一対の側壁は、一対の相互に対応するピン孔を備え、底壁は、一対の耳部を備え、該各耳部は、該各側壁のピン孔に対応する穿孔を備え、
該バネを、該ヒンジカップの側壁と耳部の間に設置し、ピン部品を、該側壁のピン孔、該バネのワインディング部、該耳部の穿孔に通し、これにより該バネと該ヒンジカップとは相互に連接し、
好ましくは、該ヒンジカップの一対の側壁はさらに、一対の挿入孔を備え、該一対のバネの第二棒は、該挿入孔に挿入される。
【考案の効果】
【０００９】
本考案のヒンジのダンピングデバイスは、使用者が緩衝作用のオン或いはオフを選択できるメカニズムを備えるという効果を奏する。
【図面の簡単な説明】
【００１０】
【図１】本考案実施例のヒンジ分解図である。
【図２】本考案実施例のダンピングデバイス組合せ状態及びヒンジに対応し設置する様子の模式図である。
【図３】本考案実施例のヒンジ組合せの局部断面模式図である。
【図４】本考案実施例の調整部品を保持台に対応して組合せる様子の模式図である。
【図５】本考案実施例が備える弾性部品が保持台と調整部品に連接する様子の模式図である。
【図６】本考案実施例の調整部品を保持台に対応して第一位置まで移動させる時のヒンジ全体の外観模式図である。
【図７】本考案実施例の調整部品を保持台に対応して第一位置まで移動させた時の模式図である。
【図８】本考案実施例の調整部品を保持台に対応して第二位置まで移動させる時の模式図である。
【図９】本考案実施例の調整部品を保持台に対応して第二位置まで移動させた時のヒンジ全体の外観模式図である。
【図１０】本考案実施例のダンパーとピストン棒がヒンジカップにおいてヒンジアームに相対し閉鎖する時に調整部品に相対する状態の模式図である。
【図１１】本考案実施例を食器棚本体及びドア板に設置した展開状態の模式図である。
【図１２】本考案実施例においてドア板が食器棚本体に相対しある角度まで閉鎖移動を行う時の状態の模式図である。
【図１３】本考案実施例においてドア板が食器棚本体に相対し閉鎖される時の状態の模式図である。
【図１４】本考案実施例においてドア板が食器棚本体に相対し展開される時の状態の模式図である。
【図１５】本考案別種の実施例において保持台の第一接触部と調整部品が第一位置で相互に係合する時の模式図である。
【図１６】本考案別種の実施例において保持台の第二接触部と調整部品が第二位置で相互に係合する時の模式図である。
【考案を実施するための形態】
【００１１】
以下に図面を参照しながら本考案を実施するための最良の形態について詳述する。
【００１２】
図１〜３に示すように、本考案実施例の緩衝ヒンジは、ヒンジカップ10、ヒンジアーム12、少なくとも１個のバネ14、保持台16、ダンパー18、調整部品20を備える。
【００１３】
ヒンジカップ10は、一対の側壁22、底壁24、前端壁26、後端壁28を備える。一対の側壁22は、前端壁26に隣接し、一対の相互に対応する軸孔30、一対の相互に対応するピン孔32、一対の相互に対応する定位孔34を備える。底壁24は、延伸し、一対の側壁22の間に連接する。好ましくは、底壁24は、一対の側壁22、前端壁26、及び後端壁28に連接する。前端壁26は、延伸して、一対の側壁22の前端に連接する。後端壁28は、延伸して、一対の側壁22の後端に連接する。一対の側壁22、底壁24、前端壁26、及び後端壁28は、共同で収容室36を定義する。収容室36内の底壁24は、一対の耳部38を備え、各耳部38は、各側壁22のピン孔32に対応する穿孔40を備える。ヒンジアーム12は、ヒンジカップ10に可動状に接続する。
【００１４】
実施例中において、ヒンジアーム12は、一対のカム部42、及び一対のカム部42の間に連接するスリーブ部44を備える。しかも、軸パーツ46を、ヒンジカップ10の側壁22の軸孔30とヒンジアーム12のスリーブ部44に通し、これによりヒンジアーム12はヒンジカップ10に相対して可動状に接続される。ヒンジアーム12はさらに、ヒンジアーム12に連接する取り付け部48を備え、取り付け部48により、食器棚本体などの家具コンポーネントに、便利に取り付けることができる。
【００１５】
少なくとも１個のバネ14は、ヒンジカップ10の収容室36内に設置する。実施例中においては、一対のバネ14を備え、一対のバネ14は、トルクバネの形式である。各バネ14は、第一棒50a、第二棒50b、及び延伸して第一棒50aと第二棒50bの間に連接するワインディング部52を備える。各バネ14は、ヒンジカップ10の側壁22と耳部38の間に設置し、ピン部品54を、側壁22のピン孔32、バネ14のワインディング部52、及び耳部38の穿孔40に通し、これによりバネ14とヒンジカップ10は、相互に連接し、収容室36内に定位される。
【００１６】
この状態において、一対のバネ14の第一棒50a及び第二棒50bは、ヒンジアーム12のカム部42とヒンジカップ10の側壁22に、それぞれ接触し、これらを押さえる。好ましくは、側壁22上には、挿入孔56を設置し、これに第二棒50bを挿入して押さえる。これにより、ヒンジカップ10がヒンジアーム12に相対して回転し閉鎖される時、一対のバネ14は、閉鎖の最終行程で、閉鎖の弾力を提供することができる。
【００１７】
保持台16は、ヒンジカップ10の収容室36内に固定状に設置される。図１、４に示すように、保持台16は、上部58、下部60、及び上部58と下部60の間に延伸して連接する本体部62を備える。上部58は、第一マーク64a及び第二マーク64bを備え、しかも上部58は、ヒンジカップ10の後端壁28の周縁に向かい、第一接触部66a及び第二接触部66bを備える。好ましくは、第一マーク64aは、ONの文字、或いはその意味の表現である。第二マーク64bは、OFFの文字、或いはその意味の表現である。第一接触部66aは、固定された接触面である。第二接触部66bは、弾力係合ほぞの型態である。下部60の周縁には、弧状の輪郭を呈するリップセグメント68を備え、下部60の両側には、係合体70をそれぞれ備える。各係合体70は、ヒンジカップ10の側壁22の定位孔34に対応し、相互に係合でき、これにより保持台16は、ヒンジカップ10の収容室36内に設置され定位される。
【００１８】
本体部62通道72を備え、好ましくは、通道72の内壁には、リニアガイドセグメント74を備える。ダンパー18は、保持台16の本体部62の通道72内に設置し、ヒンジアーム12に対応する。好ましくは、ダンパー18は、ピストン棒76及び停止部78を備える。ピストン棒76は、調整部品20に相対し接触する。停止部78は、保持台16の通道70内のガイドセグメント74の一端に対応し、接触する。
【００１９】
調整部品20は、保持台16に可動状に設置される。調整部品20は、上サポートフレーム80、下サポートフレーム82、及び上サポートフレーム80と下サポートフレーム82の間に延伸して連接する側板84を備える。図４に示すように、調整部品20の上サポートフレーム80、下サポートフレーム82は、保持台16の上部58、下部60にそれぞれ接触する。調整部品20の下サポートフレーム82は、下部60のリップセグメント68に接触する。本実施例中では、上サポートフレーム80の前端には、尖端部86を備え、しかも上サポートフレーム80の頂点面には、一対の突出したフラップなどの操作部88を備え、これにより使用者は指で簡単に調整部品20を移動させることができる。下サポートフレーム82は、対になり、しかも分かれて設置される。側板84は、係合ロック凸体90及び突出部92を備える。図５に示すように、係合ロック凸体90は、上サポートフレーム80に隣接し、しかも保持台16の第一接触部66a及び第二接触部66bに対応する。
【００２０】
突出部92は、保持台16に向かい伸び、ダンパー18のピストン棒76に対応する(図６参照)。上サポートフレーム80は、尖端部86により、保持台16の第一マーク64a（ON）或いは第二マーク64b（OFF）を、はっきりと指し示し、ダンパー18が調整部品20の突出部92に相対して抵触し、緩衝機能を形成するか否かを表示することができる。
【００２１】
図６、７に示すように、調整部品20を保持台16に相対して第一位置まで移動させる時、調整部品20の係合ロック凸体90は、保持台16の第一接触部66aに接触する。この時、調整部品20の突出部92は、ダンパー18のピストン棒76に正確に対応し、及び調整部品20の上サポートフレーム80の尖端部86は、保持台16の第一マーク64a（ON）に対応する。ヒンジカップ10が、ヒンジアーム12に相対して閉鎖される時、ダンパー18は、ヒンジアーム12に押されて移動し、これによりダンパー18のピストン棒76は、調整部品20の突出部92に接触し、内へと縮み、緩衝作用を生じる。よって、この状態において、ヒンジは緩衝作用を備える。
【００２２】
実施例中において、図５、７に示すように、さらに保持台16と調整部品20の間に連接する弾性部品94を備える。例えば、保持台16には、第一フック部21aを設置し、及び調整部品20には、第二フック部21bを設置する。弾性部品94は、第一フック部21aと第二フック部21bの間に引っ掛け、これにより調整部品20は、弾性部品94の弾力に対応し、自動的に第一位置を保持することができる。
【００２３】
図８に示すように、調整部品20を保持台16に対応して第二位置まで移動させる時には、調整部品20の係合ロック凸体90は、保持台16の第一接触部66aから離れ、保持台16の第二接触部66bに接触して、係合定位される。しかも、調整部品20は、弾性部品94を引き伸ばす。
【００２４】
図９に示すように、調整部品20を保持台16に対応して第二位置まで移動させる時には、調整部品20の突出部92は、ダンパー18のピストン棒76の対応位置から離れ、及び調整部品20の上サポートフレーム80の尖端部86は、保持台16の第二マーク64b（OFF）に対応する。
【００２５】
図１０に示すように、ヒンジカップ10が、ヒンジアーム12に相対して閉鎖される時、ダンパー18は、ヒンジアーム12に押され、保持台16に相対して移動するが、ダンパー18とピストン棒76は一緒に、調整部品20に向かい移動し、ピストン棒76は調整部品20の突出部92において停止されず、こうして緩衝作用を生じる。
【００２６】
図１１に示すように、ヒンジアーム12は、取り付け部48により、食器棚本体96に設置され、ヒンジカップ10は、ドア板98に設置される。ヒンジに緩衝作用を持たせたければ、使用者は、調整部品20を調整し、突出部92は、ダンパー18のピストン棒76に正確に対応する。この時、ドア板98が食器棚本体96に対応して閉鎖位置まで移動すると、図１２、１３に示すように、ヒンジアーム12は、ダンパー18にぶつかる。これにより、ダンパー18のピストン棒76は先に、調整部品20の突出部92に接触し、こうしてピストン棒76のダンパー18に対応した内縮移動を利用し、緩衝作用を生じる。よって、ドア板98の食器棚本体96に相対した閉鎖は、ゆっくりと静かに行われる。
【００２７】
図１４に示すように、ドア板98が食器棚本体96に相対して開かれる時、ヒンジアーム12は、ダンパー18から離れ、接触状態ではなくなる。ダンパー18は、自動的に伸び出すピストン棒76を利用し、ピストン棒76は調整部品20の突出部92に接触し、ダンパー18を押して移動させる。しかも、ダンパー18の停止部78により、保持台16のガイドセグメント74の一端に接触して停止される。この時、ダンパー18は、ヒンジアーム12に相対し、押されて緩衝作用を生じる位置に停止する。
【００２８】
別種の実施例では、図１５、１６に示すように、保持台16の第一接触部67aと第二接触部67bは共に、弾力係合ほぞの型態である。調整部品20を保持台16に相対して第一位置まで移動させる時、調整部品20の係合ロック凸体90は、保持台16の第一接触部67aに係合され定位される。調整部品20を保持台16に相対して第二位置まで移動させる時、調整部品20の係合ロック凸体90は、保持台16の第一接触部67aから離れ、保持台16の第二接触部67bに係合され定位される。
【００２９】
上記したように、使用者は予め必要に応じてヒンジの緩衝機能を調整できるため、本考案は緩衝作用のオン或いはオフを選択できるメカニズムを備える。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べて十分な進歩性を有し、実用性が高く、社会のニーズに合致しており、産業上の利用価値は非常に大きい。
【符号の説明】
【００３２】
10：ヒンジカップ
12：ヒンジアーム
14：バネ
16：保持台
18：ダンパー
20：調整部品
21a：第一フック部
21b：第二フック部
22：側壁
24：底壁
26：前端壁
28：後端壁
30：軸孔
32：ピン孔
34：定位孔
36：収容室
38：耳部
40：穿孔
42：カム部
44：スリーブ部
46：軸パーツ
48：取り付け部
50a：第一棒
50b：第二棒
52：ワインディング部
54：ピン部品
56：挿入孔
58：上部
60：下部
62：本体部
64a：第一マーク
64b：第二マーク
66a：第一接触部
66b：第二接触部
67a：第一接触部
67b：第二接触部
68：リップセグメント
70：係合体
72：通道
74：ガイドセグメント
76：ピストン棒
78：停止部
80：上サポートフレーム
82：下サポートフレーム
84：側板
86：尖端部
88：操作部
90：係合ロック凸体
92：突出部
94：弾性部品
96：食器棚本体
98：ドア板
【図１】
0003181984.tif 000003
【図２】
0003181984.tif 000004
【図３】
0003181984.tif 000005
【図４】
0003181984.tif 000006
【図５】
0003181984.tif 000007
【図６】
0003181984.tif 000008
【図７】
0003181984.tif 000009
【図８】
0003181984.tif 000010
【図９】
0003181984.tif 000011
【図１０】
0003181984.tif 000012
【図１１】
0003181984.tif 000013
【図１２】
0003181984.tif 000014
【図１３】
0003181984.tif 000015
【図１４】
0003181984.tif 000016
【図１５】
0003181984.tif 000017
【図１６】
0003181984.tif 000018